(57)【要約】      （修正有）【課題】給紙モジュールが衝突したり機体の振動により落下したりするのを防止でき、確実に給紙できる給紙機構の提供。【解決手段】給紙機構は、給紙モジュール、第１ストッパ部、第２ストッパ部及び紙ストッパ部材を包含する。給紙モジュールは機体に取付けられ、給紙フレーム、分紙装置及び給紙装置を有し、第１ストッパ部及び第２ストッパ部は機体或いは給紙フレームに取付けらる。紙ストッパ部材は給紙装置と分紙装置の間に設けられ、紙に当接するストッパ部と支持部を有し、支持部は可動に第１ストッパ部上に接触して給紙モジュールを支持し、可動に第２ストッパ部上に当接して紙ストッパ部材の回転角度を制限する。これにより、給紙フレームが定位に持ち上げられて紙待機状態の時、紙ストッパ部材の支持部が第１ストッパ部を支持する。【選択図】図９
0003160777.tif 000002
【実用新案登録請求の範囲】
【請求項１】
給紙機構において、
機体と、
該機体に取付けられ、給紙フレーム、分紙装置及び給紙装置を有し、該給紙フレームが該分紙装置と該給紙装置を連結する、給紙モジュールと、
該機体あるいは該給紙フレームに設けられる第１ストッパ部及び第２ストッパ部と、
少なくとも一つの紙ストッパ部材であって、該給紙装置と該分紙装置の間に設けられ、該紙ストッパ部材は紙をストップする紙ストッパ部と支持部を具え、該支持部は可動に該第１ストッパ部上に当接して該給紙モジュールを支持し、また可動に該第２ストッパ部に当接して該紙ストッパ部材の回転角度を制限する、上記紙ストッパ部材と、
を包含したことを特徴とする、給紙機構。
【請求項２】
請求項１記載の給紙機構において、該機体は上カバーと紙ガイドシートを包含し、該紙ストッパ部材は該上カバーに取付けられ、該第１ストッパ部と該第２ストッパ部が該給紙フレームに設置されることを特徴とする、給紙機構。
【請求項３】
請求項１記載の給紙機構において、該機体は上カバーと紙ガイドシートを包含し、該紙ストッパ部材は該紙ガイドシートに取付けられ、該第１ストッパ部と該第２ストッパ部が該給紙フレームに設置されることを特徴とする、給紙機構。
【請求項４】
請求項１記載の給紙機構において、該機体は上カバーと紙ガイドシートを包含し、該紙ストッパ部材は該給紙フレームに取付けられ、該第１ストッパ部と該第２ストッパ部が該機体に設置されることを特徴とする、給紙機構。
【請求項５】
請求項１記載の給紙機構において、該給紙装置は給紙ロールとされることを特徴とする、給紙機構。
【請求項６】
請求項１記載の給紙機構において、該給紙装置は給紙ベルトとされることを特徴とする、給紙機構。
【請求項７】
請求項１記載の給紙機構において、該分紙装置は分紙ロールとされることを特徴とする、給紙機構。
【請求項８】
請求項１記載の給紙機構において、該分紙装置は分紙ベルトとされることを特徴とする、給紙機構。
【請求項９】
請求項２記載の給紙機構において、紙センサを更に包含し、該紙センサは該紙ガイドシート上に取り付けられ且つ該紙ストッパ部材の下方に位置することを特徴とする、給紙機構。
【考案の詳細な説明】
【技術分野】
【０００１】
本考案は一種の給紙機構に係り、特にプリンタ、スキャナ、コピー機及びファクシミリ等のオフィス設備に用いられる給紙機構に関する。
【背景技術】
【０００２】
図１及び図２に示されるように、給紙機構１００’は、紙ガイドシート１０’、給紙アセンブリ２０’、及び二つの紙ストッパ部材３０’を包含する。上述の紙ガイドシート１０’は紙の前端を載置する載置台１１’を有し、載置台１１’の中間に二つの凹溝１２’が設けられている。該給紙アセンブリ２０’は給紙フレーム２１’、分紙ロール２２’、及び給紙ロール２３’を包含する。該給紙フレーム２１’は両側壁２１１’を具え、一方の側壁２１１’に外向きに突出するようにストッパブロック２１２’が形成され、紙ストッパ部材３０’の回転角度を制限するのに用いられる。もう一方の側壁２１１’より外向きに筒状の回転締めつけ部２１３’が延伸形成されている。分紙ロール２２’の一端に圧縮バネ２４’が嵌合され、圧縮バネ２４’は回転締めつけ部２１３’内に嵌め込まれる。
【０００３】
紙ストッパ部材３０’は枢接部３１’を具え、枢接部３１’の底端より下向きに紙をストップするための紙ストッパ部３２’が延伸され、枢接部３１’の両側より上向き外向きに支持部３３’が延伸されている。紙ストッパ部３２’の一部は載置台１１’の凹溝１２’内に収容される。毎回起動或いは毎回紙送りの作業が完成した後、紙センサが給紙トレイ上に紙がないことを検出すると、モータは給紙方向の反対方向に回転し、圧縮バネ２４’と給紙フレーム２１’の回転締めつけ部２１３’の摩擦と、並びに給紙アセンブリ２０’を駆動して定位まで上昇させ、これにより、給紙機構１００’を紙待機状態となす。
【考案の概要】
【考案が解決しようとする課題】
【０００４】
ただし、上述の給紙機構１００’は、紙置き待機状態の時、給紙ロール２３’定位の保持力は僅かに圧縮バネ２４’と給紙フレーム２１’の回転締めつけ部２１３’の間に発生する摩擦力により提供され、外部の衝突或いは振動により給紙ロール２３’が下に移動し、給紙ロール２３’を最高の紙置き位置に確実に位置させることができず、このため紙置き操作に不便で、これにより給紙機構１００’は正確に確実に給紙することが難しくなる。
【０００５】
本考案の目的は、上述の技術中の不足を克服し、一種の紙置き操作に便利で正確に給紙できる給紙機構を提供することにある。
【課題を解決するための手段】
【０００６】
本考案の給紙機構は、給紙モジュール、第１ストッパ部、第２ストッパ部及び紙ストッパ部材を包含し、該給紙モジュールは機体に取付けられ、給紙フレーム、分紙装置及び給紙装置を有し、第１ストッパ部及び第２ストッパ部は機体或いは給紙フレームに取付けられ、紙ストッパ部材は給紙装置と分紙装置の間に設けられ、紙ストッパ部材は紙に当接するストッパ部と支持部を有し、支持部は可動に第１ストッパ部上に接触して給紙モジュールを支持し、可動に第２ストッパ部上に当接して紙ストッパ部材の回転角度を制限する。
【考案の効果】
【０００７】
これにより、本考案の給紙機構は、第１ストッパ部の構造設計により、給紙フレームが定位まで上に持ち上げられて紙置き待機状態となる時、紙ストッパ部材の支持部が十分に第１ストッパ部を支持でき、これにより給紙モジュールが衝突或いは機体の振動により落下することがなく、これにより、使用者が紙を置く時に、給紙モジュールが最高位置に確実に位置して紙を置け、これにより紙置き操作に便利で、正確に給紙が行える。
【図面の簡単な説明】
【０００８】
【図１】周知の給紙機構の立体分解図である。
【図２】図１の給紙機構の給紙フレームと紙ストッパ部材の側面図である。
【図３】本考案の給紙機構の第１実施例の立体図である。
【図４】図３に示される給紙機構の上紙ガイドシート及び給紙モジュールの立体図である。
【図５】図３に示される給紙機構の立体分解図である。
【図６】図３に示される給紙機構の上カバーの立体である。
【図７】図３に示される給紙機構の給紙フレームの立体である。
【図８】図３に示される給紙機構の紙無し時の状態図である。
【図９】図３に示される給紙機構の紙置き待機の状態図である。
【図１０】図３に示される給紙機構の給紙待機の状態図である。
【図１１】図３に示される給紙機構の給紙開始の状態図である。
【図１２】図３に示される給紙機構の給紙中の状態図である。
【図１３】本考案の給紙機構の別の実施例の紙置き待機の状態図である。
【図１４】図１３に示される給紙機構の給紙待機の状態図である。
【図１５】図１３に示される給紙機構の給紙開始の状態図である。
【図１６】図１３に示される給紙機構の給紙中の状態図である。
【図１７】本考案の給紙機構の別の実施例の紙置き待機の状態図である。
【図１８】図１７に示される給紙機構の給紙待機の状態図である。
【図１９】図１７に示される給紙機構の給紙開始の状態図である。
【図２０】図１７に示される給紙機構の給紙中の状態図である。
【考案を実施するための形態】
【０００９】
本考案の技術内容、構造特徴、その達成しようとする目的及び作用効果について、以下に図面を組み合わせて詳細に説明する。
【００１０】
図３、図４及び図５に示されるように、本考案の給紙機構１００は、機体１０、給紙モジュール２０、二つの紙ストッパ部材３０、及び紙センサ４０を包含する。機体１０は上カバー１１、上紙ガイドシート１２及び下紙ガイドシート１３を包含し、上紙ガイドシート１２と下紙ガイドシート１３が紙ガイドシートを構成する。
【００１１】
図６を参照されたい。上述の上紙ガイドシート１２は載置台１２１を具え、該載置台１２１は給紙トレイ（図示せず）に隣接し、紙２００の前端を載置するのに用いられる。載置台１２１のほぼ中部に二つの凹溝１２２が開設され、且つ凹溝１２２はいずれも矩形を呈し並びに紙の伝送方向に沿って延伸され、そのうち一つの凹溝１２２は載置台１２１を貫通し、分紙摩擦モジュール１４が上紙ガイドシート１２の上に置かれている。
【００１２】
図５、６、７を参照されたい。上述の給紙モジュール２０は上カバー１１の隔板１１１に枢接され、給紙モジュール２０は給紙フレーム２１、駆動歯棒２２、分紙装置２３及び給紙装置２４を包含する。
【００１３】
上述の給紙フレーム２１は、両側壁２１１を具え、各側壁２１１の前端下部に第１枢接孔２１２が開設され、後端下部に第２枢接孔２１３が開設され、両側壁２１１の両端上部に外向きに第１ストッパ部２１４が凸設され、両側壁２１１の前端上部の第１ストッパ部２１４の前方に、外向きに第２ストッパ部２１５が凸設され、第１ストッパ部２１４と第２ストッパ部２１５は前後に一定の距離離間し、間隔空間を形成している。
【００１４】
上述の駆動歯棒２２は上カバー１１に枢接され、上紙ガイドシート１２に取り付けられたモータ（図示せず）と給紙モジュール２０を連結している。
【００１５】
上述の分紙装置２３は給紙装置２４より分紙装置２３に導入された紙を一枚ずつ分離し、並びに続いてこの一枚の紙を前進させ、該分紙装置２３は分紙ベルト或いは分紙ロールとされる。上述の分紙装置２３は分紙回転軸２３１を具え、該分紙回転軸２３１に分紙ロール２３２が嵌合され、分紙ロール２３２は通常高い摩擦係数を有する材料で形成され、例えばゴムで形成される。分紙回転軸２３１は駆動歯棒２２に接続され、分紙回転軸２３１の一端に圧縮バネ２３３が嵌合され、圧縮バネ２３３は分紙回転軸２３１側壁の圧縮を受けて、給紙フレーム２１の側壁２１１内側と緊密に接触する。
【００１６】
上述の給紙装置２４は給紙機構１００の給紙トレイに置かれた紙に接触或いは駆動して分紙装置２３に向けて移動させ、該給紙装置２４は給紙ベルト或いは給紙ロールとされる。該給紙装置２４は給紙回転軸２４１を具え、該給紙回転軸２４１に給紙ロール２４２が嵌合され、給紙ロール２４２は通常、高い摩擦係数の材料、例えばゴムで形成される。
【００１７】
給紙装置２４の給紙回転軸２４１及び分紙装置２３の分紙回転軸２３１はそれぞれ第１枢接孔２１２と第２枢接孔２１３で給紙フレーム２１の両側壁２１１に嵌合され、分紙回転軸２３１は駆動歯棒２２に結合され、伝動ロール２６が可動に給紙フレーム２１に枢接されて分紙装置２３より給紙装置２４に動力を伝達する。
【００１８】
上述の紙ストッパ部材３０は機体１０の上カバー１１に取付けられ、紙ストッパ部材３０は可動に第１ストッパ部２１４及び第２ストッパ部２１５に圧接され、紙ストッパ部材３０は環状の枢接部３１、枢接部３１の底端より下向きに延伸形成された紙ストッパ部３２、枢接部３１の両側より上向きに延伸形成された連接部３３及び連接部３３の末端より外向き横向きに延伸された支持部３４を包含する。上述の紙ストッパ部材３０は枢接部３１により上カバー１１の隔板１１１に枢接され、紙ストッパ部材３０の紙ストッパ部３２部分は凹溝１２２中に収容され、そのうち、紙ストッパ部材３０の紙ストッパ部３２の下端は続いて延伸されて遮断部３５が形成されている。
【００１９】
上述の紙センサ４０は上紙ガイドシート１２に取付けられ、且つそのうちの一つの凹溝１２２下方に位置し、且つ紙センサ４０の検出位置は、紙ストッパ部３２の下端の遮断部３５に位置し、給紙トレイに紙があるか否かを検出するのに用いられ、給紙モジュール２０は上カバー１１に取付けられ、上紙ガイドシート１２は下紙ガイドシート１３に組み合わされ、上カバー１１が上紙ガイドシート１２に閉じ合わされる。
【００２０】
本考案の給紙機構１００の動作過程は以下のとおりである。
【００２１】
図５、８、及び図９を参照されたい。給紙機構１００が動作する時、紙ストッパ部材３０の遮断部３５は紙センサ４０の発射する光線を遮断するか遮断せず、これにより、紙センサ４０に光線を受け取らせないか或いは受け取らせて信号を発生させる。このとき、システムコントロール（図示せず）は現在給紙トレイに紙があるか紙がないかを知ることができる。
【００２２】
起動時或いは毎回紙送りの動作が完成した後、紙が給紙トレイにないと、重力の作用により、紙ストッパ部材３０の紙ストッパ部３２が下垂し、紙センサ４０の発射する光線を遮断し（図８）、信号の変化を発生させ、紙が全て出紙トレイに送出された後、紙センサ４０はこのメッセージをシステムコントロールに伝送し、システムコントロールはモータの回転命令を下し、駆動歯棒２２はモータに駆動されて反転（時計まわり）し、並びにこれにより分紙装置２３の分紙回転軸２３１を駆動し反転させ、圧縮バネ２３３と給紙フレーム２１の側壁２１１の摩擦により給紙フレーム２１を上昇させ定位となし、同時に給紙モジュール２０前端の給紙装置２４が最高位置に上昇する。
【００２３】
給紙フレーム２１は上昇の過程で、第１ストッパ部２１４が給紙フレーム２１の上昇と、及び第１ストッパ部２１４と支持部３４の相対位置関係により、第１ストッパ部２１４は連接部３３に沿って上昇し、紙ストッパ部材３０の支持部３４の右側部分が支持部３４の上側に至り、これにより、給紙モジュール２０が外力或いは振動を受けて下に移動する時、支持部３４が第１ストッパ部２１４の下側に当接し、並びに第１ストッパ部２１４を支持し、こうして給紙装置２４の衝突或いは機体の振動による下降を防止し、こうして有効に使用者が紙を置くときに給紙モジュール２０を最高位置に位置させて、紙２００が給紙装置２４の前にブロックされないようにし、このとき、紙センサ４０が遮断されてこのときに紙がないことがわかり、給紙機構１００が紙置き待機状態となる（図９のとおり）。
【００２４】
図１０に示されるように、紙２００を置くときに、紙２００は二つの紙ストッパ部材３０の紙ストッパ部３２を右に押して紙センサ４０より離し、同時に支持部３４が第１ストッパ部２１４下側を離れ並びに前向きに回転して第２ストッパ部２１５の右側に至り、給紙フレーム２１の第２ストッパ部２１５により紙ストッパ部材３０の回転角度が制限され、このとき、紙ストッパ部材３０の紙ストッパ部３２が垂直状態を呈して紙が紙ストッパ部３２の前に積み重ねられ、紙センサ４０の導通により、このとき、給紙待機状態であることがわかる。
【００２５】
図５、図１１及び図１２に示されるように、給紙機構１００が給紙する時、駆動歯棒２２は正転し（逆時計回り）、給紙モジュール２０の前端が下に回転し、給紙装置２４を駆動し下向きにして並びに同時に逆時計回転させて給紙動作を行わせる。支持部３４は第２ストッパ部２１５と第２ストッパ部２１５の中間の空間より上向きに突出し、給紙ロール２４２が正転して紙を取り、紙２００の最上面の一枚を下流の分紙装置２３に向けて移動させ、このとき、支持部３４は第２ストッパ部２１５より高いため、紙ストッパ部材３０はブロックされずに逆時計回りに回転し、紙２００は後ろ向きに紙ストッパ部３２を押し開き、分紙ロール２３２部分に到達する（図１２）。
【００２６】
紙２００が全部紙ストッパ部材３０を通過した後、自身の重力の作用で、紙ストッパ部材３０の紙ストッパ部３２は再度下に回転し、遮断部３５が紙センサ４０の発射する光線を発射し（図８）、信号の変化を発生し、紙２００が全て出紙トレイに送り出された後、紙センサ４０はこのメッセージをシステムコントローラに伝送し、システムコントローラはモータに命令して回転させ、分紙回転軸２３１が反転し並びに給紙フレーム２１を駆動して上昇させ定位に至らしめ、給紙機構１００が紙置き待機状態に回復し（図９）、次の紙置きを行える。
【００２７】
図１３から図１５は本考案の給紙機構１００の第２実施例であり、本実施例中、紙ストッパ部材３０は可動に機体１０の上紙ガイドシート１２に取付けられ、第１ストッパ部２１４、第２ストッパ部２１５は給紙フレーム２１に取付けられる。本実施例では、第１ストッパ部２１４は第２ストッパ部２１５の左側に位置し、図１３に示されるようであり、給紙モジュール２０が上昇し、紙置き待機の最高位置に達する時、紙ストッパ部材３０の支持部３４が第１ストッパ部２１４に当接し、給紙モジュール２０を支持する。
【００２８】
図１４及び図１５に示されるように、使用者が紙２００を置く時、紙２００が紙ストッパ部材３０を押し開き、紙ストッパ部材３０は後ろ向きに時計回りに回転して第１ストッパ部２１４を離れ、第２ストッパ部２１５の左側に当接する。このとき、紙ストッパ部材３０の紙ストッパ部３２は垂直状に接近し、紙２００を紙ストッパ部３２の前に積み重ね、紙２００の前端を揃える。使用者が給紙機構１００に命令して給紙させる時、給紙モジュール２０が下に回転し、第２ストッパ部２１５もそれに従い下に移動して支持部３４の下方に至り、これにより紙ストッパ部材３０が第２ストッパ部２１５の阻止を受けず、自由に回転し、紙２００に紙ストッパ部材３０を押し開かせ、これにより、給紙が行える。
【００２９】
図１６から図１８は本考案の給紙機構１００の第３実施例が示され、この実施例では、紙ストッパ部材３０は可動に給紙フレーム２１に取付けられ、第１ストッパ部２１４は上紙ガイドシート１２に取り付けられ、第２ストッパ部２１５は上カバー１１に取付けられ、図１６に示されるようであり、給紙モジュール２０が上昇して紙置き待機の最高位置に至る時、紙ストッパ部材３０は第１ストッパ部２１４の上側に当接し、これにより給紙モジュール２０が支持され、これにより、給紙モジュール２０の紙置き待機時の最高位置が確保される。
【００３０】
図１７に示されるように、使用者が紙２００を投入する時、紙２００は紙ストッパ部材３０を押し開き、紙ストッパ部材３０は第１ストッパ部２１４を離れ、第２ストッパ部２１５の右側に当接し、このとき、紙ストッパ部材３０の紙ストッパ部３２は垂直状に接近し、紙２００が紙ストッパ部３２の前に積み重ねられ、これにより紙２００の前端が揃えられる。
【００３１】
図１８に示されるように、使用者が命令して給紙機構１００に給紙させる時、給紙モジュール２０が下に回転し、紙ストッパ部材３０が下向きに移動し、これにより第２ストッパ部２１５が上カバー１１上に位置し、並びに下に移動せず、これにより、紙ストッパ部材３０は第２ストッパ部２１５の阻止を受けず、逆時計に回転して紙を通過させる。
【００３２】
総合すると、本考案の給紙機構１００は、第１ストッパ部２１４の構造設計により、給紙フレーム２１が上昇して定位の紙置き待機状態に至る時、紙ストッパ部材３０の支持部３４が第１ストッパ部２１４上に当接して給紙モジュール２０が支持され、これにより、給紙モジュール２０が衝突あるいは機械の振動により落下することがなく、有効に使用者が紙を置く時に給紙モジュール２０が紙置き待機の最高位置に位置して紙を置くことができ、紙置きの操作に便利で、これにより正確に給紙できる。
【符号の説明】
【００３３】
１００  給紙機構            １０  機体
１１  上カバー              １１１  隔板
１２  上紙ガイドシート      １３  下紙ガイドシート
１４  分紙摩擦モジュール    １２１  載置台
１２２  凹溝                １３  下紙ガイドシート
２０  給紙モジュール        ２１  給紙フレーム
２１１  側壁                ２１２  第１枢接孔
２１３  第２枢接孔          ２１４  第１ストッパ部
２１５  第２ストッパ部      ２２  駆動歯棒
２３  分紙装置              ２３１  分紙回転軸
２３２  分紙ロール          ２３３  圧縮バネ
２４  給紙装置              ２４１  給紙回転軸
２４２  給紙ロール          ２６  伝動ロール
３０  紙ストッパ部材        ３１  枢接部
３２  紙ストッパ部          ３３  連接部
３４  支持部                ３５  遮断部
２００  紙
１００’  給紙機構          １０’  上紙ガイドシート
１１’    載置台            １２’凹溝
２０’    給紙アセンブリ    ２１’給紙フレーム
２１１’  側壁              ２１２’  ストッパブロック
２１３’  回転締めつけ部    ２２’  分紙ロール
２３’    給紙ロール        ２４’  圧縮バネ
３０’    紙ストッパ部材    ３１’  枢接部
３２’    紙ストッパ部      ３３’  支持部
【図１】
0003160777.tif 000003
【図２】
0003160777.tif 000004
【図３】
0003160777.tif 000005
【図４】
0003160777.tif 000006
【図５】
0003160777.tif 000007
【図６】
0003160777.tif 000008
【図７】
0003160777.tif 000009
【図８】
0003160777.tif 000010
【図９】
0003160777.tif 000011
【図１０】
0003160777.tif 000012
【図１１】
0003160777.tif 000013
【図１２】
0003160777.tif 000014
【図１３】
0003160777.tif 000015
【図１４】
0003160777.tif 000016
【図１５】
0003160777.tif 000017
【図１６】
0003160777.tif 000018
【図１７】
0003160777.tif 000019
【図１８】
0003160777.tif 000020
【図１９】
0003160777.tif 000021
【図２０】
0003160777.tif 000022